(57)【要約】 【課題】  接触型のＩＣカード、接触型のＩＣカード及び磁気カードなど様々な種類のカードが混在することにともなうユーザやオペレータ（店員など）の不便さを低減する。【解決手段】  本発明によれば、まず、挿入口１００から挿入されたカード２０に対し、アンテナ１０９を用いて非接触型の通信試行を実行する。この通信試行が成功すると、アンテナ１０９を用いてリード又はライトを実行する。一方、非接触型の通信試行に失敗すると、下部搬送ローラ１０７によりカード２０をさらに装置内へと搬送する。磁気ヘッド１０８によりカード２０の磁気データをリードし、得られた磁気データに基づいて、カード２０が接触型のカードであるか否かを判定する。カード２０が接触型のカードであれば、接触型のカードインタフェースであるコネクタ１１０によりデータのリード又はライトを実行する。そうでなければ、磁気ヘッドによりリード又はライトを行なう。【選択図】  図１
2005071253.tif 000002
【特許請求の範囲】
【請求項１】
複数の種類の異なるカードインタフェースに対応したＩＣカード装置であって、
挿入又は載置されたカードに対して非接触の状態で通信を試行する非接触型の通信試行ユニットと、
前記非接触型の通信試行ユニットによる通信の試行が成功したか否かを判定する第１の判定ユニットと、
前記非接触型の通信の試行が成功すると、非接触型のカードインタフェースによりリード処理又はライト処理を実行する第１のリードライトユニットと、
前記非接触型の通信の試行に失敗すると、前記カードを装置内へと搬送する搬送ユニットと、
前記カードの磁気データをリードする磁気ヘッドユニットと、
前記リードされた磁気データに基づいて、前記カードが接触型のカードであるか否かを判定する第２の判定ユニットと、
前記カードが接触型のカードであると判定されると、接触型のカードインタフェースによりデータのリード処理又はライト処理を実行する第２のリードライトユニットと
を含むＩＣカード装置。
【請求項２】
カード挿入口へのカードの挿入を検知する挿入検知ユニットをさらに備え、
前記非接触型の通信試行ユニットは、前記挿入検知ユニットによりカードの挿入が検知されると、挿入されたカードに対して非接触の状態で通信を試行することを特徴とする請求項１に記載のＩＣカード装置。
【請求項３】
前記非接触型の通信の試行が失敗すると、前記磁気ヘッドユニット及び前記第２のリードライトユニットの一部であるコネクタの少なくとも一方を前記カードに対して接触するように移動させるとともに、前記カードが排出される際には前記磁気ヘッド及び前記コネクタを移動退避させる移動ユニットをさらに含む請求項１又は２に記載のＩＣカード装置。
【請求項４】
前記カードが挿入されると、前記第１のリードライトユニットによりリード処理又はライト処理の可能な第１の位置まで搬送させ、該カードが非接触型のカードでない場合は、さらに、第２のリードライトユニットによりリード処理又はライト処理が可能な第２の位置まで搬送させるよう前記搬送ユニットを制御する搬送制御ユニットをさらに含む請求項１乃至請求項３の何れかに記載のＩＣカード装置。
【請求項５】
非接触型のＩＣカードを載置する載置トレーと、
前記載置トレーにカードが載置されたことを検知する載置検知ユニットと
をさらに備え、前記載置検知ユニットによりカードが載置されると、前記通信試行ユニットにより通信を試行することを特徴とする請求項１乃至請求項４のいずれかに記載のＩＣカード装置。
【請求項６】
前記載置トレーに載置されたカードに対する前記通信の試行が失敗すると、該カードをカード挿入口へ挿入するよう促すためのメッセージを音声出力又は表示出力する出力ユニットをさらに含む請求項５に記載のＩＣカード装置。
【請求項７】
前記カード挿入口からカードが装置内に挿入されているときは、前記載置トレーに載置されている他のカードへのリード処理又はライト処理を禁止するよう制御する外部リードライト禁止ユニットをさらに含む請求項５又は６に記載のＩＣカード装置。
【請求項８】
前記禁止ユニットは、前記第１のリードライトユニットに含まれるアンテナの指向性を装置内の搬送路の方向に向けるよう制御する指向性制御回路を含むことを特徴とする請求項７に記載のＩＣカード装置。
【請求項９】
請求項１乃至８の何れかに記載のＩＣカード装置に使用される非接触型のＩＣカードであって、
前記第１のリードライトユニットと通信するためのアンテナを、該ＩＣカードの挿入方向前方に片寄せして配置していることを特徴とする非接触型のＩＣカード。
【請求項１０】
複数の種類の異なるカードインタフェースに対応したＩＣカード処理方法であって、
挿入又は載置されたカードに対して非接触型の通信試行を実行するステップと、
前記非接触型の通信試行が成功したか否かを判定するステップと、
前記非接触型の通信試行が成功すると、非接触型のカードインタフェースを用いてリード処理又はライト処理を実行するステップと、
前記非接触型の通信試行に失敗すると、前記カードを装置内へと搬送するステップと、
前記カードの磁気データをリードするステップと、
前記リードされた磁気データに基づいて、前記カードが接触型のカードであるか否かを判定するステップと、
前記カードが接触型のカードであると判定されると、接触型のカードインタフェースによりデータのリード処理又はライト処理を実行するステップと
を含むＩＣカード処理方法。
【発明の詳細な説明】
【技術分野】
【０００１】
本発明は、接触型ＩＣカード、非接触型ＩＣカード及び磁気カードの読み取り処理又は書き込み処理を実行するＩＣカード装置に関する。
【背景技術】
【０００２】
従来、キャッシュカードやクレジットカードとして、主に磁気カードが利用されてきたが、近年のサービスの多様化に対応すべく、これらのカードをＩＣカード化することが検討されている。
【０００３】
しかしながら、キャッシュカードやクレジットカードのＩＣカード化を開始したとしても、すぐに全ての顧客のカードをＩＣカード化できるわけではない。ＩＣカードは磁気カードに比較しコストが高いため、すぐに普及するとは考えにくい。従って、ＩＣカードの普及当初は、一部のユーザから徐々にＩＣカード化が進んでゆくと考えられる。
【０００４】
ここで、問題となるのは、ＩＣカードを有するユーザと、磁気カードを有するユーザとが混在してしまうことである。そのため、店舗側も複数種類のカードに対応する必要がある。例えば、ＩＣカードのリーダライタ装置と、磁気カードのリーダライタ装置とを店舗等に併設することが考えられるが、複数の装置を併設すれば、限られたスペースが占有されてしまい不都合である。そのため、ＩＣカードのリーダライタ装置と磁気カードのリーダライタ装置と統合することが望ましいだろう。
【０００５】
従来において、接触型のＩＣカードのリーダライタ装置と磁気カードのリーダライタ装置との統合を試みたものとして以下の技術が知られている。
【特許文献１】特開平２−２１３９９０号公報
【特許文献２】特開平１−５９５７８号公報。
【発明の開示】
【発明が解決しようとする課題】
【０００６】
ＩＣカードには、接触型インタフェースを備えたＩＣカードと、非接触型のインタフェースを備えたＩＣカードが存在する。上述の特許文献１又は特許文献２に記載の技術では、接触型のＩＣカードのリーダライタ装置と磁気カードのリーダライタ装置との統合を試みているが、非接触型のＩＣカードリーダライタ装置の統合については示唆がない。
【０００７】
しかしながら、過渡期においては、非接触型ＩＣカードによるキャッシュカード、接触型ＩＣカードによるキャッシュカード、磁気カードによるキャッシュカードが混在することも想定される。
【０００８】
従来は、接触型のＩＣカードのリーダライタ装置と磁気カードのリーダライタ装置とが統合されて一つの装置となっていたが、非接触型のＩＣカードリーダライタ装置は統合されていなかったため、店舗には２種類のリーダライタを備えなければならなかった。
【０００９】
すると、ユーザは、自分がどの種類のカードであるかを認識した上で、適切なリーダライタ装置を使用しなければならず、非常に面倒であろう。とりわけ、子供や老人などにとっては負担が大きいかもしれない。同様に、クレジットカードなど、店員が処理するタイプのカードについては、店員が何のカードであるかを判断し、適切なリーダライタ装置まで足を運び、そして利用しなければならず面倒である。
【００１０】
ユーザによっては、非接触型のカードであるにもかかわらず、接触型のＩＣカードのリーダライタ装置や磁気カードのリーダライタ装置、あるいはこれらの統合装置に誤って挿入してしまう可能性もあり、その場合は、接触コネクタや磁気ヘッドの劣化を早めてしまうおそれもある。
【００１１】
特に、挿入口にカードの一部を挿入されると、それを検知してカードの搬送を実行するタイプのリーダライタ装置では、搬送用のローラや搬送通路内の壁面との摩擦によって、カードの表面が汚れたり、傷がついたりするおそれもあるため、不必要なカードの挿入は避けられるなら避けるほうがよい。
【００１２】
そこで、本発明では、このような課題のうち少なくとも一つを解決することを目的とする。
【課題を解決するための手段】
【００１３】
本発明は上述の課題の少なくとも一つを解決するＩＣカード装置を提供することを目的としている。当該ＩＣカード装置は、例えば、挿入又は載置されたカードに対して非接触の状態で通信を試行する非接触型の通信試行ユニットと、前記非接触型の通信試行ユニットによる通信の試行が成功したか否かを判定する第１の判定ユニットと、前記非接触型の通信の試行が成功すると、非接触型のカードインタフェースによりリード処理又はライト処理を実行する第１のリードライトユニットと、前記非接触型の通信の試行に失敗すると、前記カードを装置内へと搬送する搬送ユニットと、前記カードの磁気データをリードする磁気ヘッドユニットと、前記リードされた磁気データに基づいて、前記カードが接触型のカードであるか否かを判定する第２の判定ユニットと、前記カードが接触型のカードであると判定されると、接触型のカードインタフェースによりデータのリード処理又はライト処理を実行する第２のリードライトユニットとを含んでいる。
【発明の効果】
【００１４】
本発明によれば、非接触型のＩＣカード、接触型のＩＣカード及び磁気カードなど様々な種類のカードが混在することにともなうユーザやオペレータ（店員など）の不便さを低減することができる。
【発明を実施するための最良の形態】
【００１５】
以下に本発明の一実施形態を示す。もちろん以下の実施形態は、上位概念として開示される本発明の下位概念にすぎない。すなわち、以下の実施形態は、特許請求の範囲によって確定される本願発明の技術的範囲に含まれるほんの一部の実施形態にすぎないのである。従って、本願の明細書又は図面に開示された上位概念たる発明であって、特許請求の範囲に記載された発明と技術思想が共通すれば、たとえ本願明細書又は図面に直接的に記載されていない実施形態であっても本願発明の技術的範囲に包含される。
【００１６】
なお、以下の実施形態に記載する下位概念の発明について、そのすべてが特許請求の範囲に記載されているとは限らない。ただし、これは特許発明の技術的範囲から意識的に除外したのではなく、特許発明と均等の関係にあるため特許請求の範囲には記載していない場合があることを理解していただきたい。
【００１７】
図１は、本実施形態に係るＩＣカード装置の一例を示した図である。ＩＣカード装置１０は、リード機能及びライト機能のうち少なくとも一つを備えた装置であり、銀行のＡＴＭ端末などもこの概念に含まれる。また、ＩＣカード装置１０は、単体の装置として各店舗に配置されてもよいし、店舗のレジ、改札装置などに内蔵されてもよい。
【００１８】
ＩＣカード装置１０には、カード挿入口１００が設けられており、当該カード挿入口１００にカード２０が挿入される。カード挿入口１００から装置内部にかけて搬送路１０１が設けられている。搬送路１０１は、上部の壁１０２と下部の壁１０３とが設けられている。
【００１９】
搬送路１０１の挿入口１００の近くには、カードの挿入検知機構が設けられている。この例では、発光ダイオード（ＬＥＤ）１０４からほぼ常時にわたって出力される光を、ＬＥＤに対向して設けられているフォトディテクタ１０５により常時検出しており、この光がカード２０により遮られると、カードが挿入されたものと判定し、下部搬送ローラ１０７が不図示のモータによって駆動される。上部搬送ローラ１０６は、カード２０が下部搬送ローラ１０７に対して適切に接触するよう下方向の圧力をかけている。搬送路１０１の下部には、磁気ヘッド１０８が設けられており、これによってカードに設けられた磁気ストライプを読み取ったり、データを書き込んだりする。
【００２０】
磁気ヘッド１０８は、装置内に固定されていてもよいが、カードの磁気ストライプをなぞるよう前後に移動可能であってもよい。後者の場合は、ＣＰＵからの制御信号に応じて前後に磁気ヘッド１０８を移動させる移動機構（モータ、レールなど）が必要となろう。なお、磁気ヘッド１０８は、カードの磁気ストライプを読み書きするときを除き、損傷や摩耗を防止すべく、搬送路１０２の外部に退避していてもよい。退避のための機構は、例えば、ソレノイドとバネにより磁気ヘッド１０８を上下に移動させることにより実現できるが、本発明は、これに限定されることはない。
【００２１】
コネクタ１１０は、接触タイプのＩＣカードと通信するためのインタフェースの一部を構成している。当該コネクタも、接触タイプのＩＣカードに対してリード又はライトするとき以外は、挿入されたカードに接触しないよう（すなわち、コネクタの損傷や摩耗を低減するよう）、退避していることが望ましい。退避機構には、例えば、ソレノイドとバネにより、コネクタ１１０を上下に移動させることにより実現できるが、本発明は、これに限定されることはない。
【００２２】
アンテナ１０９は、非接触タイプのＩＣカードと通信するためのインタフェースの一部を構成している。
【００２３】
図２は、本実施形態に係るＩＣカード装置の電気的なブロック図である。ＣＰＵ２０１は、ＲＯＭ２０３に格納されているコンピュータプログラムに基づいて制御を実行する中央演算処理装置である。例えば、制御プログラムとしては、後述するフローチャートに従ったカードの搬送制御、リード処理、ライト処理に関するプログラムが含まれる。ＲＡＭ２０２は、データなどを記憶する揮発性の記憶装置である。ＲＯＭ２０３は、書き換え不能のマスクＲＯＭである。ＥＥＰＲＯＭ２０９は、書き換え可能な記憶装置である。表示装置２０４は、ＩＣカード２０との通信結果や、リードライト処理結果などを表示するディスプレイである。操作部２０５は、タッチパネルデバイスやテンキーなどの入力装置である。通信インタフェース２０７は、銀行やクレジットカード会社などのホストコンピュータなどと接続するための通信回路である。
【００２４】
挿入検知回路２１２は、上述のＬＥＤ１０４、フォトディテクタ１０５などから構成され、カードの挿入・非挿入を検知する検知回路である。挿入検知回路２１２は、検知結果をＣＰＵ２０１に送信する。
【００２５】
駆動回路２１５は、ＣＰＵ２０１からの制御信号に応じて、搬送モータ２１６を駆動する。搬送モータ２１６は、上述の下部搬送ローラ１０７を回転させる。なお、磁気ヘッド１０８の退避機構や、コネクタ１１０の退避機構が電気的な駆動回路により構成される場合は、ＣＰＵ２０１によって当該駆動回路が制御されることはいうまでもない。
【００２６】
非接触型カードインタフェース２２０は、アンテナ１０９を介して非接触タイプのカードと通信を行なう通信回路である。接触型カードインタフェース２２１は、コネクタ１１０を介して接触タイプのカードと通信を行なう通信回路である。磁気カードインタフェース２２２は、磁気ヘッド１０８からの読み取り信号を増幅したり、磁気ヘッド１０８に書き込み信号を出力したりするための電気回路である。
【００２７】
図３は、本実施形態に係るＩＣカードのブロック図である。ＩＣカード２０は、例えば、キャッシュカード機能、電子マネー機能、クレジットカード機能、デビットカード機能、航空会社のマイレージカード機能、鉄道・バス会社等の定期券機能、ＥＴＣ（道路通行料金自動徴収システム）カード機能、ポイントカード機能及び身分証明書（社員証など）機能などの少なくとも一つを備えている。なお、各機能を実現するデータやアプリケーションプログラムはＥＥＰＲＯＭ３０４などの不揮発性の記憶装置に記憶されている。また、一部のカード機能のデータは、磁気ストライプ３１５に記録されている。
【００２８】
ＣＰＵ３０１は、制御プログラムに従ってＩＣカード２０内の各部を制御する中央演算処理装置である。ＲＡＭ３０２は、制御プログラムを実行する際に必要となる作業領域や各種のデータを記憶する記憶装置である。マスクＲＯＭ３０３は、制御プログラムや各種のデータを記憶するための記憶装置である。ＥＥＰＲＯＭ３０４は、書き換え可能な記憶装置である。ＥＥＰＲＯＭ３０４は、フラッシュメモリなどに置き換えてもよい。接触型カードインタフェース３０７は、不図示のコネクタを介してＩＣカード装置１０と通信するためのカードインタフェースである。非接触型カードインタフェース３０８は、非接触型カードインタフェース３０８は、アンテナ３０９を介してＩＣカード装置１０と通信するためのカードインタフェースである。アンテナ３０９は、通信アンテナであるとともに、電源搬送波を受信するためのアンテナとしても機能する。
【００２９】
図４は、本実施形態に係るＩＣカード装置におけるリード処理又はライト処理の例示的なフローチャートである。
【００３０】
ステップＳ４００において、ＣＰＵ２０１は、挿入検知回路２１２からの信号に基づいて、カードが挿入されたか否かを判定する。ＬＥＤ１０４からの光が遮断されるとフォトディテクタ１０５からの電流が減少することを利用して、挿入検知回路２１２がカードの挿入を感知する。カードの挿入を検知すると、挿入検知回路２１２は、ＣＰＵ２０１に挿入検知信号を送信する。挿入検知信号を受信したと判定すると、ＣＰＵ２０１は、ステップＳ４００の待機ループを抜ける。
【００３１】
なお、この初期段階においては、カードの搬送を禁止している。なぜなら、非接触型のカードであるにもかかわらず、カードを搬送してしまえば、カード２０、コネクタ１１０及び磁気ヘッド１０８の摩耗等を招く恐れがあるため、これらの不都合を低減すべく、カードの搬送を制限している。
【００３２】
ステップＳ４０２において、ＣＰＵ２０１は、非接触型のカードインタフェース２２０を駆動し、挿入されたカードとの通信を試行することで、非接触型のカードを探索する。
【００３３】
ステップＳ４０４において、ＣＰＵ２０１は、非接触型のカードインタフェース２２０からの通信試行結果を受信し、受信した通信試行結果が「成功」を示していれば、挿入されたカードを非接触型カードと判定し、ステップＳ４０６に移行する。一方、通信試行結果が「失敗」を示していれば、ＣＰＵ２０１は、非接触型カード以外のカードが挿入されたものと判定し、ステップＳ４０８に移行する。
【００３４】
ステップＳ４０６において、ＣＰＵ２０１は、非接触型のカードインタフェース２２０を介して、データのリード処理又はライト処理を実行する。ステップＳ４３０において、ＣＰＵ２０１は、操作部２０５からのカード排出命令が入力されたり、所定のカードリード・ライト処理が終了したりした場合などのカード排出タイミングを検出すると、駆動回路２１５にカードを排出させるための搬送制御信号を送信する。すると駆動回路２１５は、搬送モータ２１６を搬出方向に回転させる。
【００３５】
ステップＳ４０８において、ＣＰＵ２０１は、駆動回路２１５にカードを内部に搬送させるための搬送制御信号を送信する。すると駆動回路２１５は、カードを装置内に挿入させる方向へと搬送モータ２１６を回転させる。
【００３６】
なお、この際に、ＣＰＵ２０１は、磁気ヘッド１０８の退避機構を制御して、磁気ヘッド１０８が磁気ストライプ３１５を読み取れるような位置へと、当該磁気ヘッド１０８を移動させてもよい。
【００３７】
ステップＳ４１０において、ＣＰＵ２０１は、磁気ヘッド１０８からの読み取り信号を磁気カードインタフェース２２２においてＡ／Ｄ変換して、変換後のデータをＲＡＭ２０２に書き込む。なお、ステップＳ４０８とステップＳ４１０とは略同時に実行されてもよい。
【００３８】
ステップＳ４１２において、ＣＰＵ２０１は、磁気ストライプ３１５から読み取ったデータに基づいて、挿入されたカードが接触型のＩＣカードであるかどうかを判定する。なお、磁気ストライプ３１５には、接触型のＩＣカードであることを表す識別データが含まれているものとする。判定の結果、接触型のＩＣカードであれば、ステップＳ４１４に進み、そうでなければステップＳ４２０に進む。ステップＳ４２０において、ＣＰＵ２０１は、磁気カードインタフェース２２２を制御して、カード上の磁気ストライプ３１５にデータを書き込む。
【００３９】
ステップＳ４１４において、ＣＰＵ２０１は、退避機構（ソレノイドやモータなど）を駆動させることで、コネクタ１１０がカード側のコネクタへと接続するようコネクタ１１０を下降させる。
【００４０】
ステップＳ４１６において、ＣＰＵ２０１は、接触型のカードインタフェース２２１を制御して、ＩＣカード２０からデータをリードしたり、ライトしたりする。
【００４１】
ステップＳ４１８において、ＣＰＵ２０１は、上述のように排出タイミングになったことを検出すると、退避機構を制御して、コネクタ１１０を退避させる。
【００４２】
ステップＳ４３０において、ＣＰＵ２０１は、駆動回路２１５にカードを排出させるための搬送制御信号を送信する。すると駆動回路２１５は、搬送モータ２１６を搬出方向に回転させる。なお、磁気ヘッド１０８の退避処理もＣＰＵ２０１が適宜のタイミングで実行する。
【００４３】
以上説明したように、本実施形態によれば、磁気カードインタフェースと、非接触型カードインタフェースと、接触型カードインタフェースとを統合したＩＣカード装置が提供される。そのため、ユーザや店員は、どの種類のカードであるかを意識することなくカードを利用できるため、非常に便利なものとなる。
【００４４】
また、非接触型のカードが挿入された場合は、ＩＣカード装置内に完全に搬送する前にリードライト処理を実行するようにしたため、カード搬送にともなうカード２０、磁気ヘッド１０８及びコネクタ１１０の摩耗を低減できる。
【００４５】
また、磁気ヘッドやコネクタの退避機構を設けて、通常は、磁気ヘッド１０８やコネクタ１１０を退避しておくことにより、非接触型カードであるにもかかわらず、ＩＣカード装置内に深く挿入されてしまった場合にも、これらの劣化を防止できよう。
【００４６】
なお、上述の実施形態において、下部搬送ローラ１０７による駆動処理（Ｓ４０８）をＳ４００とＳ４０２との間で実行してもよい。この場合は、カード２０がＩＣカード１０内に全て搬送・挿入された後に、非接触型カードＩＦ２２０による探索処理が実行されることになる。その結果、カード２０の一部がＩＣカード装置１０から飛び出した状態で非接触ＩＦ２２０を駆動する場合よりもアンテナ１０９とＩＣカード内のアンテナとの空間的な距離が短くなるため、通信に使用する電波の出力を微弱にでき消費電力を節約できるだろう。また、ＩＣカード２０の一部が飛び出していると、ユーザによっては、無理に手動でＩＣカード２０を押し込もうとする可能性もある。その場合には、搬送機構やＩＣカード２０に負荷がかかり破損の原因になるが、本実施形態の変形例を採用すれば、挿入が検知された段階で一度搬送が実行されるため、そのような問題も解決できよう。
【００４７】
図５は、本実施形態に係る他のリードライト処理の例示的なフローチャートである。なお、上述した説明と同様の処理については同一の引用符号を付すことで説明を簡潔にする。
【００４８】
図６は、本実施形態に係るＩＣカードに内蔵されるアンテナの例示的な形状を示した図である。とりわけ（ａ）のアンテナは、カードの外周にそって配置されているため、非接触型のＩＣカードインタフェース２２０からの信号が余りにも微弱であり、かつ、カードが十分に装置内へと挿入されていない場合には、正しく通信できない可能性がある。一方、（ｂ）のアンテナは、カード挿入方向の前部に配置されているため、（ａ）のアンテナに比しカードの挿入が浅い場合であっても、非接触ＩＦにより通信が可能となろう。なお、アンテナ形状を変更することで、アンテナの特性も変更されてしまうが、薄型のチップコンデンサやコイルなどＩＣカード内に実装可能な電子部品を適宜接続することで元の特性を維持することができるだろう。
【００４９】
なお、ＩＣカードの横方向の長さを１とした場合は、アンテナの占める横方向の幅は、０．７〜０．２、あるいは０．５〜０．３程度であることが好ましい。この程度であれば、十分なアンテナ特性を確保できるだけでなく、一部挿入したカードが不用意に抜け落ちることを防止できるからである。
【００５０】
ステップＳ５０２において、ＣＰＵ２０１は、駆動回路２１５を制御し、挿入されたカードを、非接触型カードインタフェース２２０により通信可能な位置まで搬送する。
【００５１】
ＣＰＵ２０１は、予め定められた位置まで搬送するよう制御してもよいし、あるいは、段階的に搬送と非接触型カードインタフェース２２０による通信試行とを繰り返すようＣＰＵ２０１が制御してもよい。すなわち、段階的にカードを引き込んで行き、最後まで引き込んでも通信できなければ、非接触型以外のカードと判定できる。
【００５２】
本実施形態によれば、カード２０の搬送をステップＳ５０２とステップＳ４０８の少なくとも２段階に分けることで、カード２０、磁気ヘッド１０８又はコネクタ１１０の劣化を低減できよう。
【００５３】
図７は、本実施形態に係る他のＩＣカード装置の例示的な構成を示した図である。図８は、他のＩＣカード装置１０の例示的な電気的構成を示したブロック図である。
【００５４】
とりわけ、非接触型ＩＣカード２０を載置するための載置トレー７２１と、当該トレー７２１にカードが載置されているか否かを検出するための載置センサー７２０が設けられている。載置センサー７２０は、ＬＥＤとフォトディテクタとを含む光学的なセンサーにより構成してもよいし、載置されたカード２０の自重によって押し下げられるとオフからオンに切り替えられるスイッチなどを採用してもよい。載置センサー７２０からの検知信号は、載置検知回路８１３に出力され、載置検知回路８１３において検知データへとＡ／Ｄ変換され、ＣＰＵ２０１に送信される。
【００５５】
また、トレー７２１が、アンテナ１０９からの電波や、当該アンテナ１０９への電波を十分に通過させることができるように、トレー７２１の底面は、電波の透過性が高い樹脂などの素材であることが好ましいだろう。同様に、底面に対向するＩＣカード装置１０の筐体部分（例えば、上部外板）も同様な特性を有する素材であることが好ましい。このように電波の透過性が高い素材を設けることで、より微弱な電波であっても非接触通信が可能となり、消費電力も節約できるだろう。また、電波を微弱にできれば、周囲に置かれた非接触型のＩＣカードと通信してしまう危険性も低減できるため、好ましいだろう。
【００５６】
図９は、本実施形態に係る他のＩＣカード処理についての例示的なフローチャートである。
【００５７】
ステップＳ９００において、ＣＰＵ２０１は、載置検出回路８１３からの検知データを受信し、その値がカードの検知を表しているか否か判定する。カードが検知されたならば、ステップＳ９０６に進み、上述したステップＳ４０６と同様に、ＣＰＵ２０１は、非接触型のカードインタフェース２２０を制御してリードライト処理を実行する。一方、カードが検知されなければ、ステップＳ９０２に進む。
【００５８】
ステップＳ９０２において、ＣＰＵ２０１は、上述のカード挿入判定処理（Ｓ４００）を実行し、カードの挿入が検知されれば、ステップＳ４５０に進み、カードの種類に応じたリードライト処理を実行する。一方、カードの挿入が検知されなければ、ステップＳ９００に戻る。
【００５９】
本実施形態によれば、非接触型カード用のトレー７２１を設けたことにより、カード挿入口１００からカードを搬送するよりも、カードの摩耗等を防止できよう。
【００６０】
また、カード挿入口１００から挿入された非接触型のＩＣカードについても、上述のとおりリードライト処理を実行するため、トレー７２１の存在に気づかないユーザや、自己のカードの種別に無頓着なユーザに対しても、カード処理を円滑に実行できる利点がある。
【００６１】
ところで、載置されたカードが非接触型のＩＣカードでない場合も考えられる。そこで、ＣＰＵ２０１は、ステップＳ９０６を実行する前に、ステップＳ４０２とステップＳ４０４で説明した非接触型ＩＣカードの探索・判定処理を実行してもよい。そして、非接触型ＩＣカードであると判定された場合は、ＣＰＵ２０１がステップＳ９０６を実行する。一方、非接触型のＩＣカード以外のものが載置されていると判定した場合、ＣＰＵ２０１は、カード２０をカード挿入口１００へ挿入するよう促すためのメッセージを表示装置２０４に表示出力してもよい。当該メッセージは、不図示の音声出力回路から音声により出力してもよいし、音声出力と表示出力を同時に実行してもよい。このようにすれば、誤って、磁気カードや接触型のＩＣカードをトレー７２１に載置してしまった場合でも、ユーザにカード挿入口１００へと挿入するようアドバイスできるため、ユーザの利便性はより高まるであろう。
【００６２】
図１０は、本実施形態に係るさらに他のＩＣカード処理の例示的なフローチャートである。このフローチャートでは、アンテナ１０９として、電波の指向性を動的に変更できるものを採用している。このようなアンテナとしては、例えば、フェーズドアレイアンテナなどがある。なお、上述の実施形態で説明した処理については同一の引用符号を付すことで、説明を省略することにする。
【００６３】
ステップＳ１００４において、ＣＰＵ２０１は、非接触型カードインタフェース２２０を制御し、アンテナ１０９の指向性を搬送路１０１の方向に変更する。その後、ステップＳ４５０において、上述のカード処理を実行する。カード２０へのリードライト処理が終了すると、ステップＳ１００８において、ＣＰＵ２０１は、アンテナ１０９の指向性をトレー７２１側に変更する。
【００６４】
本実施形態によれば、カード２０がＩＣカード装置１０内に挿入されているときは、トレー７２１など外部に位置している非接触型カードへの通信を抑制すべく、アンテナ１０９の指向性を変更している。これにより本来は通信の対象ではない外部の非接触ＩＣカードと通信してしまうような危険性を低減できよう。
【００６５】
なお、ステップＳ１００８における再度のアンテナ指向性の変更を省略してもよい。その場合は、ＣＰＵ２０１がＲＡＭ２０２やＥＥＰＲＯＭ２０９に現在の指向性の状態を記憶しておき、カード２０がトレー７２１に載置されているときは、トレー７２１の方向に指向性を向け、搬送路１０１内にカード２０が位置しているときは、搬送路１０１に指向性を向けるように制御してもよいだろう。
【図面の簡単な説明】
【００６６】
【図１】図１は、本実施形態に係るＩＣカード装置の一例を示した図である。
【図２】図２は、本実施形態に係るＩＣカード装置の電気的なブロック図である。
【図３】図３は、本実施形態に係るＩＣカードのブロック図である。
【図４】図４は、本実施形態に係るＩＣカード装置におけるリード処理又はライト処理の例示的なフローチャートである。
【図５】図５は、本実施形態に係る他のリードライト処理の例示的なフローチャートである。
【図６】図６は、本実施形態に係るＩＣカードに内蔵されるアンテナの例示的な形状を示した図である。
【図７】図７は、本実施形態に係る他のＩＣカード装置の例示的な構成を示した図である。
【図８】図８は、他のＩＣカード装置の例示的な電気的構成を示したブロック図である。
【図９】図９は、本実施形態に係る他のＩＣカード処理についての例示的なフローチャートである。
【図１０】図１０は、本実施形態に係るさらに他のＩＣカード処理の例示的なフローチャートである。
【符号の説明】
【００６７】
１０…ＩＣカード装置
２０…カード
１００…カード挿入口
１０１…搬送路
１０２…搬送路の上部の壁板
１０３…搬送路の下部の壁板
１０４…発光ダイオード（ＬＥＤ）
１０５…フォトディテクタ
１０６…上部搬送ローラ
１０７…下部搬送ローラ
１０８…磁気ヘッド
１０９…非接触インタフェース用のアンテナ
１１０…接触インタフェース用のコネクタ
【図１】
2005071253.tif 000003
【図２】
2005071253.tif 000004
【図３】
2005071253.tif 000005
【図４】
2005071253.tif 000006
【図５】
2005071253.tif 000007
【図６】
2005071253.tif 000008
【図７】
2005071253.tif 000009
【図８】
2005071253.tif 000010
【図９】
2005071253.tif 000011
【図１０】
2005071253.tif 000012